(57)【特許請求の範囲】
【請求項１】
端末装置間でのＰｏＣサービスを提供するサーバ装置を備えたＰｏＣサービスにおける音声データ再生システムであって、前記サーバ装置は、通話セッションを識別可能なセッションＩＤを付して通話内容を記録する記録手段と、
前記端末装置から通話セッションの確立を要求する確立要求メッセージを受信した際に、前記セッションＩＤを生成する生成手段と、
生成した前記セッションＩＤを、前記確立要求メッセージの送信元の端末装置および前記確立要求メッセージに記載の端末装置および前記記録手段に対して送信する送信手段と、
前記サーバ装置が生成した前記セッションＩＤを受信した前記端末装置は、前記セッションＩＤを自端末装置内に記憶する記憶手段と、
前記端末装置から前記セッションＩＤを付した通話セッションの再確立を要求する再確立要求メッセージを受信した際に、前記セッションＩＤに対応する通話内容を前記記録手段から読み出して再生する再生手段と、を有し、
前記再生手段は、前記再確立要求メッセージに記載の端末装置に対して前記セッションＩＤに対応する通話内容を送信する、
ことを特徴とするＰｏＣサービスにおける音声データ再生システム。
【請求項２】
前記再生手段は、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記記録手段に対し、前記セッションＩＤを付した通話セッションの再確立を要求する第３の再確立要求メッセージを送信し、前記第３の再確立要求メッセージの送信後、前記記録手段から送信される前記セッションＩＤに対応する通話内容を受信した際に、前記セッション確立応答メッセージの送信元の端末装置に対して該通話内容を送信する、
ことを特徴とする請求項１に記載のＰｏＣサービスにおける音声データ再生システム。
【請求項３】
端末装置間でのＰｏＣサービスを提供するサーバ装置を備えたＰｏＣサービスにおける音声データ再生方法であって、前記サーバ装置は、通話セッションを識別可能なセッションＩＤを付して通話内容を記録する記録工程と、
前記端末装置から通話セッションの確立を要求する確立要求メッセージを受信した際に、前記セッションＩＤを生成する生成工程と、
生成した前記セッションＩＤを、前記確立要求メッセージの送信元の端末装置および前記確立要求メッセージに記載の端末装置および前記記録工程に対して送信する送信工程と、
前記サーバ装置が生成した前記セッションＩＤを受信した前記端末装置は、前記セッションＩＤを自端末装置内に記憶する記憶工程と、
前記端末装置から前記セッションＩＤを付した通話セッションの再確立を要求する再確立要求メッセージを受信した際に、前記セッションＩＤに対応する通話内容を前記記録手段から読み出して再生する再生工程と、を有し、
前記再生工程は、前記再確立要求メッセージに記載の端末装置に対して前記セッションＩＤに対応する通話内容を送信する、
ことを特徴とするＰｏＣサービスにおける音声データ再生方法。
【請求項４】
前記再生工程は、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記記録手段に対し、前記セッションＩＤを付した通話セッションの再確立を要求する第３の再確立要求メッセージを送信し、前記第３の再確立要求メッセージの送信後、前記記録手段から送信される前記セッションＩＤに対応する通話内容を受信した際に、前記セッション確立応答メッセージの送信元の端末装置に対して該通話内容を送信する、
ことを特徴とする請求項４に記載のＰｏＣサービスにおける音声データ再生方法。
【請求項５】
端末装置間でのＰｏＣサービスを提供するサーバ装置であって、前記サーバ装置は、通話セッションを識別可能なセッションＩＤを付して通話内容を記録する記録手段と、
前記端末装置から通話セッションの確立を要求する確立要求メッセージを受信した際に、前記セッションＩＤを生成する生成手段と、
生成した前記セッションＩＤを、前記確立要求メッセージの送信元の端末装置および前記確立要求メッセージに記載の端末装置および前記記録手段に対して送信する送信手段と、
前記端末装置から前記セッションＩＤを付した通話セッションの再確立を要求する再確立要求メッセージを受信した際に、前記セッションＩＤに対応する通話内容を前記記録手段から読み出して再生する再生手段と、
前記再生手段は、前記再確立要求メッセージに記載の端末装置に対して前記セッションＩＤに対応する通話内容を送信する、
ことを特徴とするサーバ装置。
【請求項６】
前記再生手段は、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記記録手段に対し、前記セッションＩＤを付した通話セッションの再確立を要求する第３の再確立要求メッセージを送信し、前記第３の再確立要求メッセージの送信後、前記記録手段から送信される前記セッションＩＤに対応する通話内容を受信した際に、前記セッション確立応答メッセージの送信元の端末装置に対して該通話内容を送信する、
ことを特徴とする請求項５に記載のサーバ装置。
【請求項７】
端末装置間でのＰｏＣサービスを提供するサーバ装置のコンピュータに、通話セッションを識別可能なセッションＩＤを付して通話内容を記録する処理と、
前記端末装置から通話セッションの確立を要求する確立要求メッセージを受信した際に、前記セッションＩＤを生成する処理
生成した前記セッションＩＤを、前記確立要求メッセージの送信元の端末装置および前記確立要求メッセージに記載の端末装置に対して送信する処理
前記端末装置から前記セッションＩＤを付した通話セッションの再確立を要求する再確立要求メッセージを受信した際に、前記セッションＩＤに対応する通話内容を再生する処理を実行させ、
前記通話内容を再生する処理においては、前記再確立要求メッセージに記載の端末装置に対して前記セッションＩＤに対応する通話内容を送信する処理を実行させる、
る、ことを特徴とするプログラム。
【請求項８】
前記通話内容を再生する処理においては、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記セッション確立応答メッセージの送信元の端末装置に対して前記セッションＩＤに対応する通話内容を送信する処理を実行させる、ことを特徴とする請求項７に記載のプログラム。
【発明の詳細な説明】
【技術分野】
【０００１】
本発明は、ＰｏＣサービスにおける音声データ再生システム、再生方法、サーバ装置、端末装置、及び、プログラムに関し、特に、ＰｏＣサービスを利用した電話システムにおいて、ユーザが話した音声データを通信ネットワーク上のサーバに保存し、ユーザからの要求に応じて保存している音声データを再生することを可能とする、ＰｏＣサービスにおける音声データ再生システム、再生方法、サーバ装置、端末装置、及び、プログラムに関する。
【背景技術】
【０００２】
ＰｏＣ（Ｐｕｓｈ−ｔｏ−ｔａｌｋ  ｏｖｅｒ  Ｃｅｌｌｕｌａｒ）は、１対１の接続だけでなく、１対Ｎ接続のグループ間通信をも可能とするコミュニケーション手段である。ＰｏＣサービスにおいては、携帯端末をトランシーバのように利用することができ、会話を開始するためには、通話先の電話番号をダイヤルすることなく、通話ボタンを押すだけで通話可能となり、また、複数のユーザと同時に通話を行うことができる。
【０００３】
近年、ＰｏＣ機能を実装した携帯端末が、徐々に普及し始めてきている（例えば、特許文献１参照。）。
【０００４】
上述した特許文献１「現存の通信システムにおいてグループ通信サービスに参加するための方法および装置」には、グループ通信システムのメンバーが使用する通信デバイスの例として、無線電話、プッシュツートーク能力を有する有線電話、プッシュツートーク機能を備えた衛星電話、無線ビデオカメラ、などが挙げられている。そして、特許文献１は、有線あるいは無線通信デバイスのグループに、インターネットプロトコルを用いて、互いに音声データを送信し、受信することを可能とする方法、などを開示している。
【０００５】
【特許文献１】特表２００３−５２６２７５号公報（第１４−９５頁、図１−１６）
【発明の開示】
【発明が解決しようとする課題】
【０００６】
上述したように、ＰｏＣサービスでは、１対１の接続だけではなく、１対Ｎの接続を行うことにより、携帯端末装置等を利用して、同時に複数のユーザと通話する（トークセッション（ｔａｌｋ  ｓｅｓｓｉｏｎ）と称する）ことができる機能を提供している。
【０００７】
しかしながら、ＰｏＣは、リアルタイムなコミュニケーションを行うためのサービスであるため、グループ間通信を行おうとする場合に、携帯端末装置の電源未投入のユーザや、通信圏外のユーザなど、その時点で通信に参加できないユーザは、そのトークセッションに参加できない。
【０００８】
また、発信者が、ＰｏＣサービスを利用して、複数のユーザと通話しようとして、トークセッションの確立を行おうとしても、全ての着信者がそのトークセッションに参加することが可能だとは限らない。例えば、会議中であったり、電車に乗車中であったり、或いは、自動車を運転中などの場合には、着信者は電話に出ることができない状態であり、このような状況においては、そのトークセッションに参加できない。
【０００９】
さらに、一旦トークセッションに参加したユーザも、ユーザが自らそのトークセッションから離脱したり、携帯電話などの携帯端末装置の電波状況が悪くなることによって、トークセッションから離脱せざるを得ない場合も起こりうることである。
【００１０】
上述した状況が起こり得るものであるため、従来のＰｏＣサービスにおいては、発信者が全ての着信者に対して、重要事項を連絡しようと考えていても、トークセッションに参加しないユーザに対しては、その内容を即時には連絡することができない。このような場合には、再度、ＰｏＣサービスを利用して、参加できなかったユーザに再接続を行うか、或いは、メールや電話など他の手段を用いて、連絡しなければならない、という問題がある。
【００１１】
また、トークセッションに参加した後でも、着信者は、発信者が話した内容を聞き逃してしまう場合も考えられる。１対１の接続時であれば、発信者が話した内容を聞き逃した場合には、すぐに聞き直して確認すれば良いが、複数のユーザが参加している状況では、聞きなおすことができない場合も考えられる。このように、着信者が話を聞き逃してすぐには確認できない場合、後で何らかの手段を用いて、発信者の話した内容を確認しなければならない、という問題もある。
【００１２】
従来のＰｏＣサービスにおいては、また、通話内容を記録する手段が存在しない。このため、トークセッションに参加できなかったユーザ、或いは、トークセッションの一部に参加できなかったユーザが、通話内容を取得して確認したり、トークセッションに参加したユーザが、後に通話内容を確認したりすることができない、という問題がある。
【００１３】
本発明は、上述した事情を改善するために成されたものであり、従って、本発明の目的は、ＰｏＣサービスを利用した電話システムにおいて、ユーザが話した音声データを通信ネットワーク上のサーバに保存し、ユーザからの要求に応じて保存している音声データを再生することを可能とする、ＰｏＣサービスにおける音声データ再生システム、再生方法、サーバ装置、端末装置、及び、プログラム、を提供することにある。
【課題を解決するための手段】
【００１４】
本発明のＰｏＣサービスにおける音声データ再生システムは、端末装置間でのＰｏＣサービスを提供するサーバ装置を備えたＰｏＣサービスにおける音声データ再生システムであって、前記サーバ装置は、通話セッションを識別可能なセッションＩＤを付して通話内容を記録する記録手段を備える、ことを特徴とする。
【００１５】
また、前記サーバ装置は、さらに、前記端末装置から通話セッションの確立を要求する確立要求メッセージを受信した際に、前記セッションＩＤを生成する生成手段を備える、ことを特徴とする。
【００１６】
さらに、前記サーバ装置は、さらに、生成した前記セッションＩＤを、前記確立要求メッセージの送信元の端末装置および前記確立要求メッセージに記載の端末装置および前記記録手段に対して送信する送信手段を備える、ことを特徴とする。
【００１７】
また、前記サーバ装置が生成した前記セッションＩＤを受信した前記端末装置は、前記セッションＩＤを自端末装置内に記憶する記憶手段を備える、ことを特徴とする。
【００１８】
さらに、前記サーバ装置は、さらに、前記端末装置から前記セッションＩＤを付した通話セッションの再確立を要求する再確立要求メッセージを受信した際に、前記セッションＩＤに対応する通話内容を前記記録手段から読み出して再生する再生手段を備える、ことを特徴とする。
【００１９】
また、前記再生手段は、前記再確立要求メッセージの送信元の端末装置および／または前記再確立要求メッセージに記載の端末装置に対して前記セッションＩＤに対応する通話内容を送信する、ことを特徴とする。
【００２０】
さらに、前記再生手段は、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記記録手段に対し、前記セッションＩＤを付した通話セッションの再確立を要求する第３の再確立要求メッセージを送信し、前記第３の再確立要求メッセージの送信後、前記記録手段から送信される前記セッションＩＤに対応する通話内容を受信した際に、前記再確立要求メッセージの送信元の端末装置および／または前記セッション確立応答メッセージの送信元の端末装置に対して該通話内容を送信する、ことを特徴とする。
【００２１】
本発明のＰｏＣサービスにおける音声データ再生方法は、端末装置間でのＰｏＣサービスを提供するサーバ装置を備えたＰｏＣサービスにおける音声データ再生方法であって、前記サーバ装置は、通話セッションを識別可能なセッションＩＤを付して通話内容を記録する、ことを特徴とする。
【００２２】
また、前記サーバ装置は、さらに、前記端末装置から通話セッションの確立を要求する確立要求メッセージを受信した際に、前記セッションＩＤを生成する、ことを特徴とする。
【００２３】
さらに、前記サーバ装置は、さらに、生成した前記セッションＩＤを、前記確立要求メッセージの送信元の端末装置および前記確立要求メッセージに記載の端末装置に対して送信する、ことを特徴とする。
【００２４】
また、前記サーバ装置が生成した前記セッションＩＤを受信した前記端末装置は、前記セッションＩＤを自端末装置内に記憶する、ことを特徴とする。
【００２５】
さらに、前記サーバ装置は、さらに、前記端末装置から前記セッションＩＤを付した通話セッションの再確立を要求する再確立要求メッセージを受信した際に、前記セッションＩＤに対応する通話内容を再生する処理を行う、ことを特徴とする。
【００２６】
また、前記通話内容を再生する処理においては、前記再確立要求メッセージの送信元の端末装置および／または前記再確立要求メッセージに記載の端末装置に対して前記セッションＩＤに対応する通話内容を送信する、ことを特徴とする。
【００２７】
さらに、前記通話内容を再生する処理においては、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記再確立要求メッセージの送信元の端末装置および／または前記セッション確立応答メッセージの送信元の端末装置に対して前記セッションＩＤに対応する通話内容を送信する、ことを特徴とする。
【００２８】
本発明のサーバ装置は、端末装置間でのＰｏＣサービスを提供するサーバ装置であって、前記サーバ装置は、通話セッションを識別可能なセッションＩＤを付して通話内容を記録する記録手段を備える、ことを特徴とする。
【００２９】
また、前記サーバ装置は、さらに、前記端末装置から通話セッションの確立を要求する確立要求メッセージを受信した際に、前記セッションＩＤを生成する生成手段を備える、ことを特徴とする。
【００３０】
さらに、前記サーバ装置は、さらに、生成した前記セッションＩＤを、前記確立要求メッセージの送信元の端末装置および前記確立要求メッセージに記載の端末装置および前記記録手段に対して送信する送信手段を備える、ことを特徴とする。
【００３１】
また、前記サーバ装置は、さらに、前記端末装置から前記セッションＩＤを付した通話セッションの再確立を要求する再確立要求メッセージを受信した際に、前記セッションＩＤに対応する通話内容を前記記録手段から読み出して再生する再生手段を備える、ことを特徴とする。
【００３２】
さらに、前記再生手段は、前記再確立要求メッセージの送信元の端末装置および／または前記再確立要求メッセージに記載の端末装置に対して前記セッションＩＤに対応する通話内容を送信する、ことを特徴とする。
【００３３】
また、前記再生手段は、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記再確立要求メッセージの送信元の端末装置および／または前記セッション確立応答メッセージの送信元の端末装置に対して前記セッションＩＤに対応する通話内容を送信する、ことを特徴とする。
【００３４】
本発明の端末装置は、サーバ装置からＰｏＣサービスの提供を受ける端末装置であって、前記端末装置は、通話セッションの確立を要求する確立要求メッセージを前記サーバ装置に対して送信する送信手段を備える、ことを特徴とする。
【００３５】
また、前記端末装置は、さらに、前記確立要求メッセージに対する応答メッセージを受信した際に、前記応答メッセージに記載の通話セッションを識別可能なセッションＩＤを自端末装置の記憶装置に記憶させる記憶手段を備える、ことを特徴とする。
【００３６】
さらに、前記端末装置は、さらに、前記セッションＩＤを付した通話セッションの再確立を要求する再確立要求メッセージを送信する再送信手段を備える、ことを特徴とする。
【００３７】
また、前記端末装置は、さらに、前記再確立要求メッセージに対する応答として前記サーバ装置から返送される通話内容を再生する再生手段を備える、ことを特徴とする。
【００３８】
本発明のプログラムは、端末装置間でのＰｏＣサービスを提供するサーバ装置のコンピュータに、通話セッションを識別可能なセッションＩＤを付して通話内容を記録する処理を実行させる、ことを特徴とする。
【００３９】
また、前記プログラムは、さらに、前記端末装置から通話セッションの確立を要求する確立要求メッセージを受信した際に、前記セッションＩＤを生成する処理を実行させる、ことを特徴とする。
【００４０】
さらに、前記プログラムは、さらに、生成した前記セッションＩＤを、前記確立要求メッセージの送信元の端末装置および前記確立要求メッセージに記載の端末装置に対して送信する処理を実行させる、ことを特徴とする。
【００４１】
また、前記プログラムは、さらに、前記端末装置から前記セッションＩＤを付した通話セッションの再確立を要求する再確立要求メッセージを受信した際に、前記セッションＩＤに対応する通話内容を再生する処理を実行させる、ことを特徴とする。
【００４２】
さらに、前記通話内容を再生する処理においては、前記再確立要求メッセージの送信元の端末装置および／または前記再確立要求メッセージに記載の端末装置に対して前記セッションＩＤに対応する通話内容を送信する処理を実行させる、ことを特徴とする。
【００４３】
また、前記通話内容を再生する処理においては、前記再確立要求メッセージに記載の端末装置に対し、前記セッションＩＤを付した通話セッションの再確立を要求する第２の再確立要求メッセージを送信し、前記第２の再確立要求メッセージに対する応答として、前記セッションＩＤを付した通話セッションに参加する旨のセッション確立応答メッセージを受信した際に、前記セッション確立応答メッセージの送信元の端末装置との通話セッションが確立したことを確認し、前記確認の後、前記再確立要求メッセージの送信元の端末装置および／または前記セッション確立応答メッセージの送信元の端末装置に対して前記セッションＩＤに対応する通話内容を送信する処理を実行させる、ことを特徴とする。
【００４４】
さらに、サーバ装置からＰｏＣサービスの提供を受ける端末装置のコンピュータに、通話セッションの確立を要求する確立要求メッセージを前記サーバ装置に対して送信する処理を実行させる、ことを特徴とする。
【００４５】
また、前記プログラムは、さらに、前記確立要求メッセージに対する応答メッセージを受信した際に、前記応答メッセージに記載の通話セッションを識別可能なセッションＩＤを自端末装置の記憶装置に記憶させる処理を実行させる、ことを特徴とする。
【００４６】
さらに、前記プログラムは、さらに、前記セッションＩＤを付した通話セッションの再確立を要求する再確立要求メッセージを送信する処理を実行させる、ことを特徴とする。
【００４７】
また、前記プログラムは、さらに、前記再確立要求メッセージに対する応答として前記サーバ装置から返送される通話内容を再生する処理を実行させる、ことを特徴とする。
【発明の効果】
【００４８】
本発明のＰｏＣサービスにおける音声データ再生システムは、端末装置間でのＰｏＣサービスを提供するサーバ装置を備え、前記サーバ装置は、通話セッションを識別可能なセッションＩＤを付して通話内容を記録する記録手段を備えている。
【００４９】
従って、当該通話セッションが終了した後であっても、当該セッションＩＤを使用することにより、記録手段に保存された当該通話セッションでの通話内容を再生することが可能となる。
【発明を実施するための最良の形態】
【００５０】
次に、本発明の実施の形態について図面を参照して説明する。
【００５１】
図１は、本発明のＰｏＣサービスにおける音声データ再生システムの一実施形態を示すブロック図である。
【００５２】
図１に示す本実施の形態は、ＰｏＣ（Ｐｕｓｈ−ｔｏ−ｔａｌｋ  ｏｖｅｒ  Ｃｅｌｌｕｌａｒ）サービスを行うＰｏＣサーバ２０、ＰｏＣ用サーバ群３０と、ＰｏＣサービスにおいて送受される音声データを保存／再生するデータ管理サーバ４０とが、ネットワーク１０を介して相互に接続されて構成されている。
【００５３】
また、ネットワーク１０には、ＰｏＣ機能を実装した複数の携帯端末装置１（１−１〜１−ｎ）が接続される構成となっている。
【００５４】
ＰｏＣサービスは、ＰｏＣサーバ２０とＰｏＣ用サーバ群３０との連携によって実現されるようになっており、携帯端末装置１相互間での通話（トークセッションと称するものとする）を行わせる。そして、携帯端末装置１間で送受される音声データは、データ管理サーバ４０に保存され、後に、携帯端末装置１のユーザから要求があった場合には、該音声データが携帯端末装置１に送信され、再生されるようになっている。
【００５５】
携帯端末装置１は、ＰｏＣ機能を実装した携帯電話、ＰＨＳ（Ｐｅｒｓｏｎａｌ  Ｈａｎｄｙｐｈｏｎｅ  Ｓｙｓｔｅｍ：パーソナルハンディホンシステム）端末、ＰＤＡ（Ｐｅｒｓｏｎａｌ  Ｄｉｇｉｔａｌ  Ａｓｓｉｓｔａｎｃｅ：携帯情報端末）などにより構成される。或いは、ＰｏＣ機能を実装するＰｏＣ専用の携帯端末であってもよい。
【００５６】
ネットワーク１０は、移動体通信網を含むインターネットなどの通信ネットワークである。ここで、移動体通信網は、ＰＤＣ（Ｐｅｒｓｏｎａｌ  Ｄｉｇｉｔａｌ  Ｃｅｌｌｕｌａｒ：ピーディーシー）方式、ＣＤＭＡ２０００（Ｃｏｄｅ  Ｄｉｖｉｓｉｏｎ  Ｍｕｌｔｉｐｌｅ  Ａｃｃｅｓｓ  ２０００：シーディーエムエーニセン）方式、或いは、Ｗ−ＣＤＭＡ（Ｗｉｄｅｂａｎｄ  ＣＤＭＡ：ダブリューシーディーエムエー）方式の何れであってもよい。
【００５７】
次に、図２を参照して、図１に示したＰｏＣサーバ２０、ＰｏＣ用サーバ群３０について説明する。
【００５８】
図２は、ＰｏＣサーバとＰｏＣ用サーバ群の一例を示す詳細ブロック図である。
【００５９】
図２におけるＰｏＣサーバ２０は、図示しないＣＰＵ（Ｃｅｎｔｒａｌ  Ｐｒｏｃｅｓｓｉｎｇ  Ｕｎｉｔ：中央処理装置）を備える情報処理装置であり、図示しない記憶装置に記憶されているコンピュータプログラムによって動作するよう構成されている。
【００６０】
そして、ＰｏＣサーバ２０は、セッション制御部２１と、発言権制御部２２と、音声制御部２３とを備えている。
【００６１】
セッション制御部２１は、ＰｏＣサービスにおけるトークセッションの確立及び切断の処理を制御する。
【００６２】
発言権制御部２２は、ＰｏＣサービスにおいて、発言するための権利であるところの発言権の付与及び開放の処理を制御する。
【００６３】
音声制御部２３は、発言権を保持している携帯端末装置１のユーザから受信した音声データを、トークセッションに参加中の他のユーザの携帯端末装置１に対して送信する制御を行う。
【００６４】
図２のＰｏＣ用サーバ群３０は、ＰｏＣサービスをサポートするために必要となる以下の機能を備えるサーバ群である。
【００６５】
先ず、ＰｏＣ通信で使用するＩＰ（Ｉｎｔｅｒｎｅｔ  Ｐｒｏｔｏｃｏｌ：インターネットプロトコル）セッションを確立するＳＩＰ（Ｓｅｓｓｉｏｎ  Ｉｎｉｔｉａｔｉｏｎ  Ｐｒｏｔｏｃｏｌ：セッション開始プロトコル）サーバの機能を備える。また、携帯端末などのユーザのステータス（暇、会議中、など）の情報管理を行うプレゼンス（Ｐｒｅｓｅｎｃｅ）サーバの機能を備える。さらに、ＰｏＣサービスのユーザのグループ間通信をサポートするため、グループのメンバーの管理運営を行うＧＬＭＳ（Ｇｒｏｕｐ  ａｎｄ  Ｌｉｓｔ  Ｍａｎａｇｅｍｅｎｔ  Ｓｅｒｖｅｒ：グループ及びリスト管理サーバ）の機能を備える。
【００６６】
ＰｏＣ用サーバ群３０の主たる機能は上記の通りであるが、本実施形態においてそのサーバ構成は任意の形態でよいため、図２においては、機能構成だけを示している。
【００６７】
次に、図３を参照して、図１に示したデータ管理サーバ４０について説明する。
【００６８】
図３は、データ管理サーバの一例を示す詳細ブロック図である。
【００６９】
図３におけるデータ管理サーバ４０は、図示しないＣＰＵを備える情報処理装置であり、図示しない記憶装置に記憶されているコンピュータプログラムによって動作するよう構成されている。
【００７０】
そして、データ管理サーバ４０は、音声データ制御部４１と、音声データ保存ＤＢ（Ｄａｔａ  Ｂａｓｅ：データベース）４２を備えている。また、セッション管理部４５と、発言権管理部４６とを備えている。
【００７１】
音声データ制御部４１は、ＰｏＣサーバ２０から送信された音声データを、音声データ保存ＤＢ４２に保存する。また、ＰｏＣサーバ２０から音声データの再生要求が送信された場合に、音声データ保存ＤＢ４２に保存しておいた音声データを、ＰｏＣサーバ２０に送信する。
【００７２】
音声データ保存ＤＢ４２は、携帯端末装置１相互間で行われるトークセッションで送受される音声データを保存するデータベースである。
【００７３】
音声データ保存ＤＢ４２は、図３に示すように、セッションＩＤ４２１１の欄と、シーケンス番号４２１２の欄と、音声データ４２１３の欄とから構成されている。
【００７４】
セッションＩＤ４２１１は、トークセッションを一意に識別するためのＩＤ（ｉｄｅｎｔｉｆｉｃａｔｉｏｎ：アイディー）であり、ＰｏＣサーバ２０がトークセッションを確立する際に、該トークセッションを識別するためのユニークなＩＤとして生成するものである。
【００７５】
シーケンス番号４２１２は、当該セッションＩＤ中の音声データの順序を示す番号である。
【００７６】
音声データ４２１３は、ＰｏＣサーバ２０から送信された音声データそのものである。
【００７７】
一例として、音声データ保存ＤＢ４２の４２２１のレコードには、セッションＩＤが「セッション１２３４」で、そのシーケンス番号が「１」の音声データ「○△・・・□」が記憶保存されている。また、４２２２のレコードには、上記レコードと同一のセッションＩＤ「セッション１２３４」を有し、シーケンス番号が「２」の音声データ「○×○・・・」が記憶保存されている。
【００７８】
セッション管理部４５は、ＰｏＣサーバ２０からの要求により、自データ管理サーバ４０のトークセッションへの参加のための確立処理と切断処理を行う。具体的には、ＰｏＣサーバ２０からトークセッションへの参加を要求するメッセージを受信すると、自データ管理サーバ４０が該トークセッションに参加する旨、の応答メッセージを生成し、ＰｏＣサーバ２０に返送する。そして、トークセッションが確立中か否かの状態管理も行う。
【００７９】
発言権管理部４６は、自データ管理サーバ４０が発言権を獲得しようとする場合に、発言権の付与の要求をＰｏＣサーバ２０に対して行う。
【００８０】
なお、上述したＰｏＣサーバ２０とデータ管理サーバ４０は、同一情報処理装置内に上述の両サーバ機能を実装したサーバ装置として構成されるものであっても良い。
【００８１】
次に、図４を参照して、図１に示した携帯端末装置１について説明する。
【００８２】
図４は、携帯端末装置の一例を示す詳細ブロック図である。
【００８３】
図４において、携帯端末装置１は、無線電波を送受信するアンテナ１０１と、アンテナ１０１を介して移動体通信網との通信を行う通信部１０２を備えている。また、携帯端末装置１の全体の制御を行う制御部１０３と、制御部１０３に接続されて必要なデータを書込み／読出し可能な記憶部１０４を備えている。さらに、制御部１０３から出力されるデータを表示する表示部１０５と、マイクロフォン１０７及びスピーカ１０８を駆動する通話部１０６と、ボタン操作によって制御部１０３へのデータ入力を行う操作部１０９を備えている。
【００８４】
制御部１０３は、図示しないＣＰＵを備え、記憶部１０４に記憶されているコンピュータプログラムによって動作するよう構成されている。
【００８５】
そして、制御部１０３は、ＰｏＣサービスによる通話を行うためのＰｏＣ機能部１１０を備えている。ＰｏＣ機能部１１０は、音声データ制御部１１１と、セッション管理部１１５と、発言権管理部１１６とから構成されている。
【００８６】
音声データ制御部１１１は、ＰｏＣサーバ２０から送信された音声データを、通信部１０２を介して受信すると、通話部１０６を介してスピーカ１０８に出力し、音声データを再生させる。また、マイクロフォン１０７から通話部１０６を介して入力された音声データを、通信部１０２を介してＰｏＣサーバ２０に送信する。
【００８７】
セッション管理部１１５は、ＰｏＣサーバ２０からの要求により、自携帯端末装置１のトークセッションへの参加のための確立処理と切断処理を行う。具体的には、ＰｏＣサーバ２０から通信部１０２を介して、トークセッションへの参加を要求するメッセージを受信すると、自携帯端末装置１が該トークセッションに参加／不参加する旨、の応答メッセージを生成し、ＰｏＣサーバ２０に返送する。また、操作部１０９のボタン操作により、トークセッションの確立を行いたい旨のデータ入力が行われると、トークセッションの確立を要求するメッセージを生成し、通信部１０２を介してＰｏＣサーバ２０に送信する。そして、トークセッションが確立中か否かの状態管理も行う。
【００８８】
発言権管理部１１６は、操作部１０９の発言ボタン（図示せず）押下により、発言権を獲得したい旨のデータ入力が行われると、発言権の付与を要求するメッセージを生成し、通信部１０２を介してＰｏＣサーバ２０に送信する。
【００８９】
次に、図５〜図８に示すシーケンスチャートを参照して、本実施形態の動作について説明する。
【００９０】
図５は、ＰｏＣサービスにおけるトークセッションの確立処理、図６は、発言権の獲得処理、図７は、音声データの送信／受信処理を示すシーケンスチャートであり、図５〜図７の処理を行うことによって、トークセッションで送受された音声データが、データ管理サーバ４０に保存される。
【００９１】
図８は、データ管理サーバ４０に保存されている音声データの再生処理を示すシーケンスチャートであり、トークセッションの確立処理、発言権の獲得処理、音声データの送信／受信処理がすべて含まれている。
【００９２】
まず、図５を参照して、トークセッションの確立処理の手順に関して説明する。
【００９３】
図５において、ユーザＡ、ユーザＢ、ユーザＣは、各々、携帯端末装置１−１、１−２、１−３を利用しているユーザであるものとする。
【００９４】
そして、ユーザＡが発信者であり、ユーザＢ、ユーザＣに対してＰｏＣサービスにおけるトークセッションの確立を要求するものとする。この要求に対し、ユーザＢが不参加応答、ユーザＣが参加応答を返すものとする。
【００９５】
発信者であるユーザＡが携帯端末装置１−１を使用して、接続先のユーザＢとユーザＣを選択し、トークセッションの確立を行いたい旨の操作を開始すると（図５のステップＳ１１）、携帯端末装置１−１からＰｏＣサーバ２０へ、トークセッションの確立を要求するセッション確立要求（新規確立）のメッセージが送信される（ステップＳ１２）。メッセージフォーマットを図９（ａ）に例示する。図９（ａ）において、メッセージ種別３０１には「セッション確立要求（新規確立）」が記載され、接続先情報３０２には、ユーザＡが選択した接続先「ユーザＢ、ユーザＣ」が記載されている。
【００９６】
なお、セッション確立要求のメッセージは、図８で後述するように、音声データの再生処理を行う場合にも使用されるものである。そこで、その場合のメッセージと区別するために、図５におけるセッション確立要求のメッセージを、セッション確立要求（新規確立）、と記載することとする。
【００９７】
ＰｏＣサーバ２０は、ステップＳ１２のセッション確立要求（新規確立）、を受信すると、該トークセッションを一意に識別するためのセッションＩＤを生成する（ステップＳ１２−１）。
【００９８】
そして、ＰｏＣサーバ２０は、データ管理サーバ４０と、（図９（ａ）の接続先情報３０２に記載されている）ユーザＢの携帯端末装置１−２、ユーザＣの携帯端末装置１−３に対し、それぞれ、生成したセッションＩＤを含めたセッション確立要求（新規確立）のメッセージを送信する（ステップＳ１３、ステップＳ１４、ステップＳ１５）。メッセージフォーマットを図９（ｂ）に例示する。図９（ｂ）において、メッセージ種別３０１には、「セッション確立要求（新規確立）、セッションＩＤ」が記載されており、生成したセッションＩＤを含むメッセージとなっている。
【００９９】
データ管理サーバ４０は、ステップＳ１３のセッションＩＤを含めたセッション確立要求（新規確立）を受信すると、該セッションＩＤを自データ管理サーバ４０が備える記憶装置内に記憶し保存する（ステップＳ１３−１）。そして、自データ管理サーバ４０の状態を、該セッションＩＤが付されたトークセッションに参加中（トークセッションが確立中）、の状態とし、セッション確立応答のメッセージをＰｏＣサーバ２０に対し返送する（ステップＳ１６）。メッセージフォーマットを図９（ｃ）に例示する。
【０１００】
ユーザＢの携帯端末装置１−２は、ステップＳ１４のセッションＩＤを含めたセッション確立要求（新規確立）を受信すると、該セッションＩＤを自携帯端末装置１−２内の記憶部１０４に、着信履歴情報として記憶し保存する（ステップＳ１４−１）。ここで、ユーザＢは該トークセッションには参加しないとの前提であるため、自携帯端末装置１−２の状態を、該セッションＩＤが付されたトークセッションに参加していない（トークセッションが非確立中）、の状態とする。そして、該トークセッションに不参加の旨のセッション確立応答（拒否）のメッセージを、ＰｏＣサーバ２０に対し返送する（ステップＳ１７）。メッセージフォーマットを図９（ｄ）に例示する。
【０１０１】
ユーザＣの携帯端末装置１−３は、ステップＳ１５のセッションＩＤを含めたセッション確立要求（新規確立）を受信すると、該セッションＩＤを自携帯端末装置１−３内の記憶部１０４に、着信履歴情報として記憶し保存する（ステップＳ１５−１）。ここで、ユーザＣは該トークセッションに参加するとの前提であるため、自携帯端末装置１−３の状態を、該セッションＩＤが付されたトークセッションに参加中（トークセッションが確立中）、の状態とする。そして、該トークセッションに参加する旨のセッション確立応答（参加）のメッセージを、ＰｏＣサーバ２０に対し返送する（ステップＳ１８）。メッセージフォーマットを図９（ｅ）に例示する。
【０１０２】
ＰｏＣサーバ２０は、着信者のユーザＣから正常レスポンスであるところのセッション確立応答（参加）（ステップＳ１８）を受信した時に、発信者であるユーザＡの携帯端末装置１−１に対し、セッション確立応答のメッセージを送信する（ステップＳ１９）。メッセージフォーマットを図９（ｆ）に例示する。
【０１０３】
ユーザＡの携帯端末装置１−１は、ステップＳ１９のセッション確立応答を受信すると、自携帯端末装置１−１内の記憶部１０４に、該トークセッションのセッションＩＤを、リダイアル情報として記憶し保存する（ステップＳ１９−１）。この時点で、ユーザＡとユーザＣ間でトークセッションが確立された状態となり、同時に、データ管理サーバ４０との間でも該トークセッションが確立された状態となっている。
【０１０４】
次に、図６を参照して、発言権の獲得処理の手順に関して説明する。
【０１０５】
図６において、ユーザＸは、発言権を獲得して音声データを送信する発信ユーザであるものとし、発言権取得状態にあると称することとする。また、ユーザＹは、発言権を獲得した他のユーザから、音声データを受信する着信ユーザであるものとし、発言権被取得状態にあると称することとする。
【０１０６】
図５で説明したユーザＡとユーザＣ間では、トークセッションが確立されている。そして、ユーザＡ、ユーザＣの何れのユーザも、発言権を獲得すれば発信ユーザとして話をすることが可能となる。従って、ユーザＡおよびユーザＣの何れも、ユーザＸまたはユーザＹとなることが可能である。以下の説明においては、便宜上、ユーザＸは携帯端末装置１−１を使用しているものとし、ユーザＹは携帯端末装置１−３を使用しているものとする。
【０１０７】
ユーザＸが、携帯端末装置１−１を使用して、発言権を獲得するための操作を開始すると（図６のステップＳ２１）、携帯端末装置１−１からＰｏＣサーバ２０に、発言権の付与を要求する発言権獲得要求のメッセージが送信される（ステップＳ２２）。
【０１０８】
ＰｏＣサーバ２０は、ユーザＸに発言権を許可する場合、ユーザＸの携帯端末装置１−１に対し、発言権獲得応答のメッセージを返送する（ステップＳ２３）。同時に、データ管理サーバ４０およびユーザＹの携帯端末装置１−３に対し、ユーザＸが発言権を獲得した旨を連絡する発言権獲得報告のメッセージを送信する（ステップＳ２４、ステップＳ２５）。
【０１０９】
ステップＳ２３の発言権獲得応答を受信したユーザＸの携帯端末装置１−１は、発言権取得状態へ遷移し（ステップＳ２３−１）、音声データを送信できる状態に遷移する。
【０１１０】
データ管理サーバ４０は、ステップＳ２４の発言権獲得報告を受信すると、発言権被取得状態へ遷移し（ステップＳ２４−１）、発言権を獲得したユーザＸからの音声データを受信し、該音声データを音声データ保存ＤＢ４２に保存できる状態へ遷移する。
【０１１１】
ユーザＹの携帯端末装置１−３は、ステップＳ２５の発言権獲得報告を受信すると、発言権被取得状態へ遷移し（ステップＳ２５−１）、発言権を獲得したユーザＸからの音声データを受信し、再生できる状態へ遷移する。
【０１１２】
次に、図７を参照して、音声データの送信／受信処理の手順に関して説明する。
【０１１３】
図７において、ユーザＸ（携帯端末装置１−１）は発言権取得状態にあり、データ管理サーバ４０及びユーザＹ（携帯端末装置１−３）は発言権被取得状態にあるものとする。
この状態は、図６にて説明したとおりの状態である。
【０１１４】
発言権を獲得して、発言権取得状態へ遷移したユーザＸが、携帯端末装置１−１を使用して、会話を始め音声データを入力すると（ステップＳ３１）、携帯端末装置１−１からの音声データがＰｏＣサーバ２０に送信される（ステップＳ３２）。
【０１１５】
ＰｏＣサーバ２０は、発言権を獲得したユーザＸの携帯端末装置１−１からの音声データ（ステップＳ３２）を受信した場合、データ管理サーバ４０およびユーザＹの携帯端末装置１−３に対し、それぞれ、該音声データを送信する（ステップＳ３３、ステップＳ３４）。
【０１１６】
データ管理サーバ４０は、ステップＳ３３の音声データを受信すると、自データ管理サーバ４０の音声データ保存ＤＢ４２に、該音声データを記憶し保存する（ステップＳ３３−１）。該音声データの保存にあたっては、現時点でのトークセッションのセッションＩＤを付して保存する。該セッションＩＤは、図５のステップＳ１３−１にて保存しておいたものである。
【０１１７】
ユーザＹの携帯端末装置１−３は、ステップＳ３４の音声データを受信すると、該音声データを自携帯端末装置１−３の通話部１０６に出力することにより、スピーカ１０８で再生させる（ステップＳ３４−１）。
【０１１８】
次に、図８を参照して、データ管理サーバ４０に保存されている音声データの再生処理の手順に関して説明する。
【０１１９】
図８においては、図５で説明したユーザＢが、データ管理サーバ４０に保存されている音声データの再生を行う手順を示すものとする。
【０１２０】
ユーザＢは、図５で説明したように、トークセッションに不参加であったため、図７で説明したような、発言権を獲得したユーザＸからの音声データは送信されて来ない。従って、当該トークセッションで成された会話の内容を聞いていないユーザである。しかしながら、当該トークセッションのセッションＩＤは、自携帯端末装置１−２内に記憶し保存している。
【０１２１】
図８において、音声データの再生を希望するユーザＢが、携帯端末装置１−２を使用して、音声データの再生を行うためのトークセッション、の確立を行いたい旨の操作を開始すると（図８のステップＳ４１）、携帯端末装置１−２からＰｏＣサーバ２０へ、トークセッションの確立を要求するセッション確立要求（再生）のメッセージが送信される（ステップＳ４２）。メッセージフォーマットを図９（ｇ）に例示する。図９（ｇ）において、メッセージ種別３０１には「セッション確立要求（再生）、セッションＩＤ」が記載され、接続先情報３０２には、接続先ユーザ数は「０」件であることを示す「ＮＵＬＬ」（空白）コードが記載されている。
【０１２２】
なお、ここでのセッション確立要求のメッセージは、図５で説明したセッション確立要求（新規確立）と区別するため、セッション確立要求（再生）と記載することとする。また、ここでのセッション確立要求（再生）には、セッションＩＤが付されている。該セッションＩＤは、図５のステップＳ１４−１で、ユーザＢの携帯端末装置１−２内に記憶し保存しておいたものである。
【０１２３】
ＰｏＣサーバ２０は、ステップＳ４２のセッション確立要求（再生）を受信すると、該セッション確立要求（再生）のメッセージ内の接続先情報３０２が「ＮＵＬＬ」コードであるため、他のユーザ（ユーザＡ、ユーザＣなど）に対しては、何の動作も行わない。しかし、データ管理サーバ４０に対しては、セッション確立要求（再生）のメッセージを送信する（ステップＳ４３）。メッセージフォーマットを図９（ｈ）に例示する。
【０１２４】
データ管理サーバ４０は、ステップＳ４３のセッション確立要求（再生）を受信すると、該セッション確立要求（再生）に付加されているセッションＩＤに対応した音声データを、音声データ保存ＤＢ４２に保存しているかを調査する。該セッションＩＤに対応する音声データが音声データ保存ＤＢ４２に保存されている場合には、ＰｏＣサーバ２０に対する正常レスポンスとして、セッション確立応答のメッセージを返送する（ステップＳ４４）。
【０１２５】
ＰｏＣサーバ２０は、セッション確立要求元のユーザＢの携帯端末装置１−２に、セッション確立応答のメッセージを送信する（ステップＳ４５）。この時点で、携帯端末装置１−２とデータ管理サーバ４０との間で、音声データの再生のためのトークセッションが確立される。
【０１２６】
ステップＳ４４でセッション確立応答のメッセージを返送したデータ管理サーバ４０は、次に、発言権を獲得するために、ＰｏＣサーバ２０に対して発言権獲得要求のメッセージを送信する（ステップＳ４６）。データ管理サーバ４０では、音声データの再生のためのトークセッションが確立した場合には、自動的に発言権を獲得して、音声データを送信できるように動作する。
【０１２７】
ＰｏＣサーバ２０は、ステップＳ４６の発言権獲得要求を受信すると、データ管理サーバ４０に対し、発言権獲得応答のメッセージを返送する（ステップＳ４７）。また、ユーザＢの携帯端末装置１−２に対し、発言権獲得報告のメッセージを送信する（ステップＳ４８）。
【０１２８】
データ管理サーバ４０は、ステップＳ４７の発言権獲得応答を受信すると、自データ管理サーバ４０の音声データ保存ＤＢ４２内に保存していた音声データの再生を開始する。すなわち、音声データ保存ＤＢ４２から当該セッションＩＤに対応する音声データを順次読み出し、読み出した音声データをＰｏＣサーバ２０に送信する（ステップＳ４９）。
【０１２９】
ＰｏＣサーバ２０は、ステップＳ４９で受信した音声データを、ユーザＢの携帯端末装置１−２に送信する（ステップＳ５０）。
【０１３０】
ユーザＢの携帯端末装置１−２は、ステップＳ５０の音声データを受信すると、該音声データを自携帯端末装置１−２の通話部１０６に出力することにより、スピーカ１０８で再生させる（ステップＳ５０−１）。以上の動作を行うことにより、ユーザＢは、データ管理サーバ４０に保存されていた音声データを確認することができるようになる。
【０１３１】
以上説明したように、本実施形態においては、トークセッションの開始時には、該トークセッションを識別可能なユニークなセッションＩＤを生成するようになっている。そして、該トークセッションでの会話内容を、該セッションＩＤを付した音声データとしてデータ管理サーバに保存するようにしている。
【０１３２】
従って、該トークセッションの終了後であっても、該セッションＩＤを使用することにより、データ管理サーバに保存された音声データを再生することが可能となる。
【０１３３】
一例として、トークセッションの確立要求に対して参加を拒否した場合、或いは、該トークセッションへの参加後に離脱した場合であっても、該トークセッションの確立時に生成されたセッションＩＤを指定して、ユーザが自ら音声データ再生のためのトークセッションを確立することができる。その結果、該トークセッションでの会話の内容を再生することが出来、会話内容を確認することが可能となる。
【０１３４】
従って、ユーザがＰｏＣサービスに参加できない状態であっても、後にユーザの都合の良い時間に、ＰｏＣサービスでのトークセッション中の会話内容を確認することが可能となる。
【０１３５】
次に、図１０を参照して、本実施形態の第２の動作例について説明する。
【０１３６】
本実施形態の第２の動作例では、トークセッションに参加したユーザが、トークセッションに参加しなかったユーザや、トークセッションから途中で離脱したユーザなどに対し、以前のトークセッション中での会話内容を聞かせるための処理の手順に関して説明する。
【０１３７】
図１０は、データ管理サーバ４０に保存されている音声データの再生処理を示す第２のシーケンスチャートである。
【０１３８】
図１０においては、図５でトークセッションに参加したユーザＡが、トークセッションに不参加のユーザＢに対し、そのトークセッションでの会話内容を確認させる際の処理手順について説明するものとする。
【０１３９】
ユーザＡは、図５で説明したように、トークセッションに参加しており、該トークセッションのセッションＩＤを、自携帯端末装置１−１の記憶部１０４に、リダイアル情報として記憶し保存している（図５のステップＳ１９−１）。
【０１４０】
図１０において、音声データの再生を希望するユーザＡが、携帯端末装置１−１を使用して、音声データの再生を行うためのトークセッション、の確立を行いたい旨の操作を開始する（図１０のステップＳ５１）。このとき、ユーザＡは、以前のトークセッションに不参加のユーザＢを指定し、かつ、以前のトークセッションにおけるセッションＩＤを利用する。すると、携帯端末装置１−１からＰｏＣサーバ２０へ、トークセッションの確立を要求するセッション確立要求（再生）のメッセージが送信される（ステップＳ５２）。メッセージフォーマットを図１１（ａ）に例示する。図１１（ａ）において、メッセージ種別３０１には「セッション確立要求（再生）、セッションＩＤ」が記載され、接続先情報３０２には、以前のトークセッションに不参加の「ユーザＢ」が記載されている。
【０１４１】
ＰｏＣサーバ２０は、ステップＳ５２のセッション確立要求（再生）を受信すると、まず、ユーザＢの携帯端末装置１−２に対し、セッション確立要求（再生）のメッセージを送信する（ステップＳ５３）。メッセージフォーマットを図１１（ｂ）に例示する。
【０１４２】
ユーザＢの携帯端末装置１−２は、ステップＳ５３のセッション確立要求（再生）を受信すると、該セッション確立要求（再生）のメッセージに記載のセッションＩＤを、自携帯端末装置１−２の記憶部１０４に記憶し保存する（ステップＳ５３−１）。そして、そのトークセッションに参加可能である場合、参加することを示すセッション確立応答（参加）のメッセージを、ＰｏＣサーバ２０に対して返送する（ステップＳ５４）。
【０１４３】
ＰｏＣサーバ２０は、ステップＳ５４のセッション確立応答（参加）を受信すると、ユーザＡの携帯端末装置１−１に対し、セッション確立応答を送信する（ステップＳ５５）。
【０１４４】
次に、ＰｏＣサーバ２０は、データ管理サーバ４０に対し、セッション確立要求（再生）のメッセージを送信する（ステップＳ５６）。
【０１４５】
データ管理サーバ４０は、ステップＳ５６のセッション確立要求（再生）を受信すると、すぐ、セッション確立応答のメッセージをＰｏＣサーバ２０に対し返送する（ステップＳ５７）。
【０１４６】
なお、上述したように、ＰｏＣサーバ２０は、まず、着信ユーザであるところのユーザＢとのトークセッションを確立した後に、データ管理サーバ４０とのトークセッション確立を行うようにしている。これは、ＰｏＣサービスにおいては、着信ユーザが如何なるタイミングでセッション確立応答のメッセージを返送するかは、着信ユーザの操作に依存するものであるため、分からないとの前提にたっている。着信ユーザとのトークセッション確立前に、データ管理サーバ４０とのトークセッションが確立してしまった場合、データ管理サーバ４０から音声データが送信されてしまい、着信ユーザは、この音声データを受信できない。このような事態を防ぐために、先に、着信ユーザとのトークセッション確立を行った後、データ管理サーバ４０とのトークセッション確立を行うようにしたものである。
【０１４７】
データ管理サーバ４０は、ステップＳ５７のセッション確立応答のメッセージを返送した後、発言権を獲得するため、発言権獲得要求のメッセージをＰｏＣサーバ２０に対し送信する（ステップＳ５８）。
【０１４８】
ＰｏＣサーバ２０は、ステップＳ５８の発言権獲得要求を受信すると、データ管理サーバ４０に発言権を付与する場合、データ管理サーバ４０に対し発言権獲得応答のメッセージを送信する（ステップＳ５９）。
【０１４９】
そして、ＰｏＣサーバ２０は、ユーザＡの携帯端末装置１−１とユーザＢの携帯端末装置１−２のそれぞれに対し、発言権獲得報告のメッセージを送信する（ステップＳ６０、ステップＳ６１）。
【０１５０】
ステップＳ５９の発言権獲得応答を受信したデータ管理サーバ４０は、自データ管理サーバ４０の音声データ保存ＤＢ４２に保存してある当該セッションＩＤが付された音声データを、ＰｏＣサーバ２０に対し送信する（ステップＳ６２）。
【０１５１】
ＰｏＣサーバ２０は、ステップＳ６２の音声データを受信すると、ユーザＡの携帯端末装置１−１とユーザＢの携帯端末装置１−２のそれぞれに対し、該音声データを送信する（ステップＳ６３、ステップＳ６４）。
【０１５２】
ユーザＡの携帯端末装置１−１は、ステップＳ６３の音声データを受信すると、該音声データを自携帯端末装置１−１の通話部１０６に出力することにより、スピーカ１０８で再生させる（ステップＳ６３−１）。
【０１５３】
ユーザＢの携帯端末装置１−２は、ステップＳ６４の音声データを受信すると、該音声データを自携帯端末装置１−２の通話部１０６に出力することにより、スピーカ１０８で再生させる（ステップＳ６４−１）。
【０１５４】
以上説明したように、本実施形態の第２の動作例によれば、トークセッションに参加したユーザは、他の任意のユーザに対して、データ管理サーバに保存されている音声データを、任意の時点で再生して聞かせることが可能となる。
【０１５５】
一例として、何らかの理由により、トークセッションに参加できなかったユーザや、トークセッションの途中で離脱したユーザに対しても、該トークセッションでの会話内容を確認させることが可能となる。また、当初トークセッションのメンバに入っていなかったユーザに対しても、該ユーザを接続先として指定してセッション確立要求（再生）を実行することで、該ユーザにも該トークセッションでの会話内容を聞かせることが可能となる。
【０１５６】
次に、図１２を参照して、本発明の第２の実施形態について説明する。
【０１５７】
図１２は、本発明のＰｏＣサービスにおける音声データ再生システムの第２の実施形態を示すブロック図である。
【０１５８】
図１２は、図１に示した実施形態に比し、ＰｏＣ機能を実装した複数の固定電話２（２−１〜２−ｍ）を追加して点でのみ異なるものである。従って、図１２において図１に示す構成要素に対応するものは同一の参照数字または符号を付し、その説明を省略するものとする。
【０１５９】
図１２に示す第２の実施形態は、ＰｏＣサービスを行うＰｏＣサーバ２０、ＰｏＣ用サーバ群３０と、ＰｏＣサービスにおいて送受される音声データを保存／再生するデータ管理サーバ４０とが、ネットワーク１０を介して相互に接続されて構成されている。
【０１６０】
また、ネットワーク１０には、ＰｏＣ機能を実装した複数の携帯端末装置１（１−１〜１−ｎ）と、ＰｏＣ機能を実装した複数の固定電話２（２−１〜２−ｍ）が接続される構成となっている。
【０１６１】
ＰｏＣサービスは、ＰｏＣサーバ２０とＰｏＣ用サーバ群３０との連携によって実現されるようになっており、携帯端末装置１及び／又は固定電話２相互間での通話を行わせる。そして、携帯端末装置１及び／又は固定電話２間で送受される音声データは、データ管理サーバ４０に保存され、後に、携帯端末装置１或いは固定電話２のユーザから要求があった場合には、該音声データが携帯端末装置１及び／又は固定電話２に送信され、再生されるようになっている。
【０１６２】
固定電話２は、家庭やオフィスなどで使用される固定電話にＰｏＣ機能を実装したものである。
【０１６３】
ネットワーク１０は、移動体通信網及び固定電話網を含むインターネットなどの通信ネットワークである。
【０１６４】
次に、固定電話２について説明する。
【０１６５】
第２の実施形態で示す固定電話２は、図４に示した携帯端末装置１を以下のように構成しなおすだけでよい。すなわち、図４のアンテナ１０１と通信部１０２に代えて、固定電話網との通信を行う通信部を備えるように変更する。
【０１６６】
なお、第２の実施形態においては、固定電話２以外の装置構成およびＰｏＣサービスにおける音声データ再生システムの動作シーケンスは、第１の実施形態で記載したと同様である。
【０１６７】
従って、第２の実施形態について、これ以上の説明を省略するものとする。
【０１６８】
以上説明したように、本発明の第２の実施形態によれば、ＰｏＣ機能を実装する固定電話を使用するユーザであっても、第１の実施形態におけると同様の効果を享受することが可能となる。
【０１６９】
以上説明したように、本発明においては、トークセッションの開始時には、該トークセッションを識別可能なユニークなセッションＩＤを生成するようになっている。そして、該トークセッションでの会話内容を、該セッションＩＤを付した音声データとしてデータ管理サーバに保存するようにしている。
【０１７０】
従って、該トークセッションの終了後であっても、該セッションＩＤを使用することにより、データ管理サーバに保存された音声データを再生することが可能となる。
【０１７１】
また、トークセッションを識別するセッションＩＤは、トークセッションへの参加／不参加にかかわらず、ユーザが使用する携帯端末装置或いは固定電話内に保存するようにしている。
【０１７２】
従って、トークセッションへの参加／不参加／中途離脱にかかわらず、該セッションＩＤを使用することにより、データ管理サーバに保存された音声データの再生動作を起動することが可能となる。その結果、トークセッションの終了後であっても、任意の時点で該トークセッションでの会話の内容を再生することが出来、会話内容を確認することが可能となる。
【図面の簡単な説明】
【０１７３】
【図１】本発明のＰｏＣサービスにおける音声データ再生システムの一実施形態を示すブロック図である。
【図２】ＰｏＣサーバとＰｏＣ用サーバ群の一例を示す詳細ブロック図である。
【図３】データ管理サーバの一例を示す詳細ブロック図である。
【図４】携帯端末装置の一例を示す詳細ブロック図である。
【図５】ＰｏＣサービスにおけるトークセッションの確立処理を示すシーケンスチャートである。
【図６】発言権の獲得処理を示すシーケンスチャートである。
【図７】音声データの送信／受信処理を示すシーケンスチャートである。
【図８】音声データの再生処理を示すシーケンスチャートである。
【図９】メッセージフォーマットを例示する図である。
【図１０】音声データの再生処理を示す第２のシーケンスチャートである。
【図１１】メッセージフォーマットを例示する第２の図である。
【図１２】本発明のＰｏＣサービスにおける音声データ再生システムの第２の実施形態を示すブロック図である。
【符号の説明】
【０１７４】
１    携帯端末装置
１０１    アンテナ
１０２    通信部
１０３    制御部
１０４    記憶部
１０５    表示部
１０６    通話部
１０７    マイクロフォン
１０８    スピーカ
１０９    操作部
２    固定電話
１０    ネットワーク
２０    ＰｏＣサーバ
２１    セッション制御部
２２    発言権制御部
２３    音声制御部
３０    ＰｏＣ用サーバ群
４０    データ管理サーバ
４１    音声データ制御部
４２    音声データ保存ＤＢ
４５    セッション管理部
４６    発言権管理部
【図１】
0004631603.tif 000002
【図２】
0004631603.tif 000003
【図３】
0004631603.tif 000004
【図４】
0004631603.tif 000005
【図５】
0004631603.tif 000006
【図６】
0004631603.tif 000007
【図７】
0004631603.tif 000008
【図８】
0004631603.tif 000009
【図９】
0004631603.tif 000010
【図１０】
0004631603.tif 000011
【図１１】
0004631603.tif 000012
【図１２】
0004631603.tif 000013